(57)【要約】      （修正有）【課題】無線通信モデム装置のデバイス記述子を確実に選択する。【解決手段】携帯電話網用データ通信機器において、電話番号等を格納しているＵＳＩＭカード（ＩＣカード）の有無を検出し、ＵＳＩＭが無い場合にはインストールプログラムの入っている仮想ＣＤとしてＰＣに認識させ、ＵＳＩＭが有る場合には無線データ通信端末として機能するようにＵＳＢのデバイス記述子（デバイス・ディスクリプタ）を切り替えるように構成する。このように、ＵＳＩＭを必要とするＵＳＢ型データ通信機器において、ＵＳＩＭ組み込みの有無によってＵＳＢ接続外部機器としての機能を切替える。必要なデバイスが必要なときのみマウントされるようになるため、取り付けから通信可能になるまでの時間を短縮できる。また、外部にスイッチが露出していないため、誤動作の心配がなく、ＵＳＢのエンドポイントの共用化ができ、ＵＳＢの使用ハードウエアリソースの削減も可能となる。【選択図】図１
2009223605.tif 000002
【特許請求の範囲】
【請求項１】
外部情報機器に外部インターフェースで接続される無線通信モデム装置であって、
ＵＳＩＭカードが接続されるＵＳＩＭカードスロットと、
前記ＵＳＩＭカードスロットにＵＳＩＭカードが接続されているか否かを検出するＵＳＩＭカード検出手段と、
所定の機能を前記外部情報機器に認識させるデバイス記述子と、
各々異なる機能を前記外部情報機器に認識させるデバイス記述子を複数記憶する記述子記憶手段と、
前記記述子記憶手段から前記デバイス記述子を選択して出力する制御手段と、
前記ＵＳＩＭカード検出手段の検出結果により前記制御手段からの前記デバイス記述子の出力を制御する機能切換手段と、
を備えたことを特徴とする無線通信モデム装置。
【請求項２】
前記無線通信モデム装置は記憶装置を備え、前記デバイス記述子はモデム通信装置用デバイス記述子と記憶装置用デバイス記述子であることを特徴とする請求項１記載の無線通信モデム装置。
【請求項３】
前記ＵＳＩＭカード検出手段は、機械的な開閉機構によりＵＳＩＭカードの有無を検出することを特徴とする請求項１記載の無線通信モデム装置。
【請求項４】
前記ＵＳＩＭカード検出手段は、検出回路によりＵＳＩＭカードの有無を検出することを特徴とする請求項１記載の無線通信モデム装置。
【請求項５】
前記ＵＳＩＭカード検出手段は、前記ＵＳＩＭカードから情報を取得するためにおこなう通信が成功した場合にＵＳＩＭカードが存在すると判断することを特徴とする請求項１記載の無線通信モデム装置。
【発明の詳細な説明】
【技術分野】
【０００１】
本発明は、例えば、データ通信を行う際に端末装置に接続して使用されるモデム通信装置、端末装置から内容物を参照できる半導体記憶装置、及びモデム通信装置に所定の機能を実現させる通信プログラムに関する。
【背景技術】
【０００２】
従来から、パソコンなどの移動情報端末装置において、データ通信を行う際に使用される無線モデムカードなどの通信機器が普及している。
このような通信機器（モデム装置）においては、ＵＳＢ（Ｕｎｉｖｅｒｓａｌ  Ｓｅｒｉａｌ  Ｂｕｓ）や、エクスプレスカード（Ｅｘｐｒｅｓｓ  Ｃａｒｄ）の端子を持ち、これらの端子を介して情報端末装置にデータ通信機能を提供する通信機器がある。
【０００３】
さらに、このような通信機器の中には、通信機器に内蔵しているＲＯＭを仮想ディスクとして情報端末装置で参照できるように構成し、そのディスクイメージにインストールプログラムを含ませることで、別途インストールＣＤなどのメディアを必要としない製品の提供を実現しているものがある。
【０００４】
例えば、ＵＳＢ機器では、特許文献１のように、ＵＳＢのデバイス記述子(デバイスディスクリプタ／テーブルデータ)情報に、記憶装置の記載と、モデム通信装置の２つの記載がなされているため、ＵＳＢ機器をパソコンに取り付けると同時に、記憶装置である仮想ディスクと、モデム通信装置の両方がパソコンに認識され、２つの機能が使用可能となる。
【０００５】
また、このように１つのＵＳＢ接続外部機器で複数の機能を有する、マルチファンクションＵＳＢ接続外部機器のデバイス記述子の切り替えによる機能変更に関しては、特許文献２のようにユーザが操作するスイッチを有する構成や、特許文献３のように再接続を検出して切り替える構成、特許文献４のようにユーザが使用したい機能をユーザインターフェースソフトウエアにて設定し切り替える構成、特許文献５のように取り付け作業中の時間を監視して切り替える構成が知られている。
【特許文献１】特開２００３−１１４８５９公報
【特許文献２】特開２００６−０６５８３３公報
【特許文献３】特開２００６−２７７１２３公報
【特許文献４】特開２００１−２０２３２５公報
【特許文献５】特開２００５−０７８３０４公報
【０００６】
図５は、無線通信モデムの概要を示した図である。無線通信モデム装置１０は、携帯電話網６２に接続するために必要な電話番号等の情報を含むＵＳＩＭカード１７を挿入するＵＳＩＭソケット１９を備え、ＰＣ３０のＵＳＢソケットに取り付けできるＵＳＢコネクタ２２を有している。無線通信モデム装置１０は、ＵＳＢコネクタ２２をＰＣ３０に取り付けたのち、ＰＣ３０に含まれるインターネット接続プログラムなどの操作により、無線通信基地局６１と無線通信を行い、ＰＣ３０を携帯電話網６２、さらにはインターネット網に接続する。
【０００７】
ここで、従来の仮想ディスクを有するマルチファンクションＵＳＢ接続外部機器によるデータ通信端末の具体例を説明する。
図６において、ＵＳＢ装置１は、無線モデム機能１６と仮想ディスク機能をもつ記憶装置機能１５の２つの機能を有する。記憶装置機能１５には、ＵＳＢ装置１専用のドライバーソフトウエアやアプリケーションプログラムをＰＣ３０に導入するための、インストールプログラムが記憶されている。ＵＳＢ装置１は、ＰＣ３０に取り付けるためのＵＳＢコントローラ１１と、ＵＳＢコネクタ２２を持つ。ＵＳＢ装置１をＰＣ３０にあるＵＳＢコネクタ３６に取り付けると、ＰＣ３０はＵＳＢホストコントローラ３５から接続通知を受け取り、接続されたデバイスの確認を行う目的で、デバイス記述子をＵＳＢ装置１に要求する。ＵＳＢ装置１は、ＵＳＢ装置１が有している機能のためのデバイス記述子の全てを、ＰＣ３０に返送する。例えば、図７のように、モデム通信装置機能と、仮想ディスク機能の２つの機能を有するデータ通信端末の場合、ＵＳＢ装置１のデバイス記述子記憶手段１２には、モデム通信装置用デバイス記述子１４と、仮想ディスクである記憶装置用デバイス記述子１３が両方含まれており、これらのデバイス記述子がＰＣ３０に送られる。
【０００８】
通常、仮想ディスク機能を含む記憶装置用ＯＳ標準ドライバー３４は、ＰＣ３０のＯＳ３１に標準機能として搭載されている。これによりＯＳ３１は、読み込まれた記憶装置用デバイス記述子１３により、ＵＳＢ装置１を仮想ディスクとして認識し、ＵＳＢ装置１内のインストールプログラムがＯＳ３１で参照できるようになる。
【０００９】
ＵＳＢ機器１が、ＰＣ３０に一度も取り付けられた事がない場合には、先程認識された記憶装置機能１５に含まれているインストールプログラムを利用して、モデム通信装置専用ドライバー３３をＰＣ３０にインストールする。その後、ＯＳ３１はインストールされたモデム通信装置専用ドライバー３３を使用して、ＵＳＢ装置１の持つ通信機能を使用可能とする。
【００１０】
一方、ＰＣ３０にすでにモデム通信装置専用ドライバー３３がインストールされた後、再度ＵＳＢ装置１がＰＣ３０に接続されるような場合、記憶装置機能１５の認識は行うが、すでにモデム通信装置専用ドライバー３３はＰＣ３０にインストールされているため、ＯＳ３１はインストール作業をスキップし、モデム通信装置専用ドライバー３３を使用してＵＳＢ装置１の持つ通信機能を使用可能とする。
【００１１】
また、デバイス記述子の切り替え機能を有しているＵＳＢ接続外部機器では、そのデバイスに特有の機能の機能切替手段２１を有する。たとえばユーザの操作可能なスイッチ等により、制御手段２０はＰＣ３０に返送するデバイス記述子を選択し、ＰＣ３０に見せるデバイス種別を選択するＵＳＢ接続外部機器もある。
【発明の開示】
【発明が解決しようとする課題】
【００１２】
しかしながら、このようにＵＳＢのデバイス記述子情報に記憶装置の記載と、モデム通信装置の記載がなされ、取り付けと同時に記憶装置である仮想ディスクと、モデム通信装置の両方が認識されるような構成の場合、ＰＣ３０に２つの機能を認識・マウント（実装）するための時間が必要になる。
また、通常ＵＳＢ機器では、１つの機能を実現するためにＵＳＢハードウェアのリソースである２〜３個のエンドポイントを消費する。本来インストールの際にしか使用しない記憶装置機能１５が毎回認識されることにより、エンドポイントを無駄に消費してしまい、これ以外の機能の追加搭載が制限されてしまう。
さらに、機能を切り換えるためのスイッチを外部に設けた場合には、部品点数の増加、誤操作の可能性や、時間監視の過程での誤動作の可能性がある。
さらに、小型の無線通信モデム装置では、スイッチ等の外部ユーザインターフェースが無い場合が多く、ユーザが機器単独で設定を変更することができない構成であった。
【課題を解決するための手段】
【００１３】
前記目的を達成するために、本発明の無線通信モデム装置では、外部情報機器に外部インターフェースで接続される無線通信モデム装置であって、ＵＳＩＭカードが接続されるＵＳＩＭカードスロットと、前記ＵＳＩＭカードスロットにＵＳＩＭカードが接続されているか否かを検出するＵＳＩＭカード検出手段と、所定の機能を前記外部情報機器に認識させるデバイス記述子と、各々異なる機能を前記外部情報機器に認識させるデバイス記述子を複数記憶する記述子記憶手段と、前記記述子記憶手段から前記デバイス記述子を選択して出力する制御手段と、前記ＵＳＩＭカード検出手段の検出結果により前記制御手段からの前記デバイス記述子の出力を制御する機能切換手段とを備えた。
また、前記無線通信モデム装置は記憶装置を備え、前記デバイス記述子はモデム通信装置用デバイス記述子と記憶装置用デバイス記述子とした。
また、前記ＵＳＩＭカード検出手段は、機械的な開閉機構によりＵＳＩＭカードの有無を検出する構成とした。
また、前記ＵＳＩＭカード検出手段は、検出回路によりＵＳＩＭカードの有無を検出する構成とした。
また、前記ＵＳＩＭカード検出手段は、前記ＵＳＩＭカードから情報を取得するためにおこなう通信が成功した場合にＵＳＩＭカードが存在すると判断する構成とした。
【発明の効果】
【００１４】
本発明によれば、無線通信モデム装置において、通信に欠かせないＵＳＩＭカードの有無を検出することにより、ユーザの必要とする機能を切り替えて使用することができるため、そのときに必要な機能だけを利用可能にできる。不要な機能を認識しないため、ＯＳが機能を認識する時間を短縮できるとともに、ＵＳＢハードウェアのリソースであり、一つの機能を実現するために通常２〜３個使用するエンドポイントの無駄な消費を抑制することができる。
また、機械的なスイッチが外部にないので、誤操作、破損等の心配が少なくなる。
【発明を実施するための最良の形態】
【００１５】
以下、本発明の好適な実施の形態について、詳細に説明する。
本実施形態では、通信システムの一例として、無線通信モデムとしてデータ通信端末を利用した無線通信システムについて説明する。
【００１６】
図２は、本実施形態における無線モデム装置のハードウェア構成を示した図である。
ＰＣ３０は移動端末装置として機能するパーソナルコンピュータであり、中央演算装置であるＣＰＵ５１，ＲＯＭ５２，ＲＡＭ５３，さらに、無線通信モデム装置１０を装着するためのＵＳＢコネクタ３６、ＵＳＢホストコントローラ３５を備えている。なお、本実施形態では、端末装置として、ノート型ＰＣを想定しているが、端末装置はこれに限定されるものではなく、無線通信モデム装置１０が装着（接続）可能であれば、例えば、ＰＤＡ（Ｐｅｒｓｏｎａｌ  Ｄｉｇｉｔａｌ  Ａｓｓｉｓｔａｎｔ）やデスクトップＰＣであってもよい。
【００１７】
無線通信モデム装置１０は、中央演算装置であるＣＰＵ４５，ＲＯＭ４１，ＲＡＭ４２，さらに、無線通信モデム装置１０をＰＣ３０に装着するためのＵＳＢコネクタ２２、ＵＳＢコントローラ１１を備えている。また外部から、固有の電話番号を記憶しているＵＳＩＭカード１７を挿入できるＵＳＩＭソケット１９を備えている。
ＲＯＭ４１は、後で説明をする無線モデム機能を実現するプログラムと、インストールプログラムを含む仮想ディスクを実現する記憶装置機能と、ＰＣ３０に対して応答する記憶装置用デバイス記述子並びに、モデム通信装置用デバイス記述子を格納している。
【００１８】
無線通信モデム装置１０は、ＵＳＩＭカード１７をＵＳＩＭソケット１９に取り付け、ＰＣ３０が備えているＵＳＢコネクタ３６にＵＳＢコネクタ２２を取り付けることにより、無線通信モデム装置としてＰＣ３０に認識され、使用できるようになる。
尚、本実施形態では、ＵＳＩＭカードと呼称しているが、ＩＣカード、ＵＳＩＭカード、ＳＩＭカード、ＵＩＭカード、もしくは、単にＵＳＩＭと呼ばれる事もある。
ＵＳＩＭコントローラ４３は、ＵＳＩＭソケット１９と、ＵＳＩＭカード１７との通信管理を行う回路である。
無線回路４４は、無線通信基地局６１と無線通信を行うための回路である。
【００１９】
図１は、本実施形態に係るＰＣ３０と無線モデム装置１０における機能を示した機能ブロック図である。
ＰＣ３０において、ＯＳ３１は、ＰＣ３０の内部で動作する基本ソフト（オペレーティングシステム）である。ＯＳ３１には、ＵＳＢメモリデバイス等の記憶装置の為に標準機能として記憶装置用ＯＳ標準ドライバー３４があらかじめ組み込まれている。
無線通信モデム装置専用ドライバー３３は、無線通信モデム装置１０を動作させるために作成されるドライバーソフトウエアである。無線通信モデム装置１０をセットアップする際に、無線通信モデム装置１０からＰＣ３０にインストールされる。
ＵＳＢホストコントローラ３５は、ＰＣ３０に備えられているＵＳＢ機器接続用ＵＳＢコネクタ３６に入出力される各種信号などを制御する回路から構成される。
【００２０】
一方、無線通信モデム装置１０において、記憶装置機能１５は、図２のＲＯＭ４１に格納されている仮想ディスクイメージであり、無線通信モデム装置１０用のドライバーソフトウエアをインストールするためのリードオンリーメモリデバイスとして動作するＵＳＢメモリデバイスである。この仮想ディスクイメージには、無線通信モデム装置専用ドライバー１５１のほかに、ドライバーインストールプログラム１５２、モデム制御用のユーティリティアプリケーションソフトウエア１５３、電子化された取扱説明書データ１５４などが格納されている。
無線モデム機能１６は、本機を無線モデムとして動作させるためのプログラムであり、図２のＲＯＭ４１に格納されている。
【００２１】
モデム通信装置用デバイス記述子１４は、無線通信モデム装置１０を無線通信モデム機器としてＰＣ３０に認識させるためのデバイス記述子である。
また、記憶装置用デバイス記述子１３は、無線通信モデム装置１０を、ＵＳＢメモリデバイスであり仮想ディスクとしてＰＣ３０に認識させるためのデバイス記述子である。ＰＣ３０内の記憶装置用ＯＳ標準ドライバー３４に適合し、ＰＣ３０に無線通信モデム装置１０を取り付けるだけで、無線通信モデム装置１０をドライバーインストール用リードオンリーメモリデバイスとして動作可能とする。これらデバイス記述子は、図２のＲＯＭ４１に格納されている。
【００２２】
ＵＳＢコントローラ１１は、無線通信モデム装置１０をＰＣ３０に接続するＵＳＢコネクタ２２に入出力される各種信号などを制御する回路から構成される。
ＵＳＩＭ検出手段１８は、ＵＳＩＭカード１７が無線通信モデム装置１０に取り付けられているか否かを検出する機能である。
【００２３】
ＵＳＩＭ検出手段１８は、ＵＳＩＭカード１７の検出に、ＵＳＩＭソケット１９内に用意したメカニカルスイッチで検出してもよいし、ＵＳＩＭカード１７との接点に検出回路を備え、電気的にＵＳＩＭカード１７の存在を検出してもよい。また、無線通信モデム装置１０において、通電後に動作を開始するプログラムが、ＵＳＩＭカード１７から情報を取得するためにおこなう通信が成功した場合にＵＳＩＭカード１７が存在すると判断するようにしてもよい。
制御手段２０は、検出したＵＳＩＭカード１７の状態により、記憶装置機能１５と無線モデム機能１６を切り替えてそれぞれ別の機能のデバイスとしてＰＣ３０と通信を行う機能である。
機能切り替え手段２１は、ＵＳＩＭ検出手段１８の検出結果により、ＰＣ３０に伝達するデバイス記述子の選択をおこなう機能である。
【００２４】
次に無線通信モデム装置１０の動作を図３のフローチャートで説明する。ここでは、通電後に動作を開始するプログラムが、ＵＳＩＭカード１７から情報を取得するためにおこなう通信が成功した場合にＵＳＩＭカード１７が存在していると判断する構成で説明する。
【００２５】
先ず、ＵＳＩＭカード１７を無線通信モデム装置１０に取り付けない状態で、無線通信モデム装置１０をＰＣ３０に取り付けると、ＵＳＢホストコントローラ３５からの給電によって、無線通信モデム装置１０の電源が自動的に投入される。次に制御手段２０が動作を開始し、プログラムに従って、無線モデム装置１０全体の初期化作業を開始する。
図３に示すように、ステップ７１の電源ＯＮののち、制御手段２０は装置全体の初期化作業を行うが、通常、ＵＳＩＭカード１７がＵＳＩＭソケット１９に挿入されていれば、その過程でＵＳＩＭカード１７から電話番号等の通信開始に欠かせない情報を、ＵＳＩＭ検出手段１８により読み出す。
【００２６】
今回は、ＵＳＩＭカード１７は取り付けられていないため、ＵＳＩＭカード１７からの情報が読み出せず、ステップ７２で制御手段２０は、ＵＳＩＭカード１７の存在確認の結果を「ＵＳＩＭなし」とする。ステップ７２のＵＳＩＭの判定で、「なし」となった場合には、機能切換手段２１は制御手段２０に指示し、ステップ７３で記述子記憶手段１２内の記憶装置用デバイス記述子１３を制御手段２０により読み出し、ＵＳＢコントローラ１１に登録する。さらに、制御手段２０はＰＣ３０と通信を行うため、ＵＳＢコントローラ１１を初期化する。
【００２７】
ＵＳＢコントローラ１１は初期化が完了すると、自律的にＰＣ３０内のＵＳＢホストコントローラ３５に記憶装置用デバイス記述子１３とともに接続通知を送信する。ステップ７４で、ＰＣ３０の制御手段３２が記憶装置用デバイス記述子１３を認識し、記憶装置用デバイス記述子１３が送信されてきたことを確認すると、ステップ７５でデバイスドライバ記憶手段３３の記憶装置用ＯＳ標準ドライバー３４を起動ならびに初期化し、ステップ７６で無線通信モデム装置１０を仮想ディスクとして利用できる準備が整う。
【００２８】
ＰＣ３０の使用者は、仮想ディスクとして見えている無線通信モデム装置１０の記憶装置機能１５に含まれているディスクイメージを参照し、その中にあるドライバーインストールプログラム１５２を操作し、モデム通信装置専用ドライバー１５１をインストールすることが可能になる。さらに無線通信モデム装置１０を便利に利用できるユーティリティプログラム１５３の導入や、電子化された取扱説明書データ１５４も参照できる。
【００２９】
続いて、ＵＳＩＭカード１７を無線通信モデム装置１０に取り付けたのち、無線通信モデム装置１０をＰＣ３０に取り付けた場合の動作について説明する。
【００３０】
無線通信モデム装置１０をＰＣ３０に取り付けると、先程と同様に無線通信モデム装置１０全体の初期化作業を開始する。
図３に示すようにステップ７１で電源ＯＮののち、制御手段２０は装置全体の初期化作業を行うが、その過程でＵＳＩＭカード１７から、電話番号等の通信に欠かせない情報を読み出す。今回は、ＵＳＩＭカード１７が無線通信モデム装置１０に取り付けられているため、電話番号が読み出されたことからＵＳＩＭカード１７が存在すると認識し、ステップ７２のＵＳＩＭ存在確認の結果は「ＵＳＩＭあり」となる。ＵＳＩＭ判定７２で、「あり」となった場合には、機能切換手段２１は制御手段２０に指示し、ステップ８１でモデム通信装置用デバイス記述子１４が制御手段２０により記述子記憶手段１５から読み出し、ＵＳＢコントローラ１１に登録する。さらに、制御手段２０はＰＣ３０と通信を行うため、ＵＳＢコントローラ１１を初期化する。
【００３１】
ＵＳＢコントローラ１１は初期化が完了すると、自律的にＰＣ３０内のＵＳＢホストコントローラ３５にモデム通信装置用デバイス記述子１４とともに接続通知を送信する。ステップ８２で、ＰＣ３０がモデム通信装置用デバイス記述子１４を認識し、モデム通信装置用デバイス記述子１４が送信されてきたことを確認し、既にＰＣ２０にインストール済みのモデム通信装置専用ドライバー３３をステップ８６で起動並びに初期化し、ステップ８７で無線通信モデム装置として利用する準備が整う。
【００３２】
この場合には、ＰＣ３０は、無線通信モデム装置１０を記憶装置としての認識はしていないため、ＲＯＭ４１無線通信モデム装置１０の記憶装置機能１５の仮想ディスクイメージは参照できないが、記憶装置用ＯＳ標準ドライバー３４をＰＣ３０に組み込む必要がないため、その分短時間で無線通信モデム機能１６の利用ができるようになる。
また、通常ＵＳＢ機器では、１つの機能を実現するために２〜３個のエンドポイントを消費するが、本実施形態では不要な機能を実装することがないので、無駄なエンドポイントの消費を抑制することができる。
ドライバーソフトウエアをインストールしていない状態で、ＵＳＩＭカード１７を無線通信モデム装置１０に取りつけた場合には、ステップ８３でＯＳ３１が、ドライバーソフトウエアが無いことを認識する。そして、ＯＳ汎用のドライバーインストール機能８４が起動し、使用者にドライバーソフトウエアのインストールを要求するが、無線通信モデム装置１０はモデム通信装置として動作しているため、使用者は仮想ディスクを参照できない。このため、使用者はステップ８５にてインストールの中断を行い、ＵＳＩＭカード１７を取り外したインストール作業を実施する。
【００３３】
尚、本実施形態では無線通信モデム装置１０をＵＳＢ機器で構成した場合を説明したが、本発明は同様なインターフェース構成を有するエクスプレスカード（ＥｘｐｒｅｓｓＣａｒｄ）で構成しても良い。図４にその機能ブロック図を示す。
図４において、ＰＣ３０１はエクスプレスカードコネクタ３７を有する。無線通モデム装置１０１は、エクスプレスカードコネクタ２３を有するエクスプレスカード形状で構成される。無線通モデム装置１０１は、エクスプレスカードコネクタ２３、３７によりＰＣ３０１に接続される。他の構成や動作はＵＳＢ機器で説明した実施形態と同じであり、ここでの説明は省略する。
さらに、形状としてＭｉｎｉＰＣＩ規格に適応しているが、パソコンからはＵＳＢデバイスとして認識される形態もある。構成や動作はＵＳＢ機器で説明した実施形態と同じであり、ここでの説明は省略する。
【００３４】
また、本実施形態では、通信システムの一例として、無線通信モデムとして一般的なデータ通信端末を利用した無線通信システムについて説明したが、これは、たとえばＰＨＳ（Ｐｅｒｓｏｎａｌ  Ｈａｎｄｙ−ｐｈｏｎｅ  Ｓｙｓｔｅｍ）データ通信端末や、ＣＤＭＡ(Ｃｏｄｅ  Ｄｉｖｉｓｉｏｎ  Ｍｕｌｔｉｐｌｅ  Ａｃｃｅｓｓ)データ通信端末、ＨＳＤＰＡ（Ｈｉｇｈ  Ｓｐｅｅｄ  Ｄｏｗｎｋｉｎｋ  Ｐａｃｋｅｔ  Ａｃｃｅｓｓ）データ通信端末などで実現可能である。
【図面の簡単な説明】
【００３５】
【図１】本発明の無線通信モデム装置の実施態様を示す機能ブロック図である。
【図２】本発明の無線通信モデム装置のハードウェアを示すブロックである。
【図３】本発明の無線通信モデム装置の実施形態に係る動作手順を示したフローチャートである。
【図４】本発明の無線通信モデム装置の他の実施態様を示す機能ブロック図である。
【図５】無線通信モデム装置の利用形態を示した図である。
【図６】従来の無線通信モデム装置の機能ブロック図である。
【符号の説明】
【００３６】
１、１０、１０１  無線通信モデム装置
１１  ＵＳＢコントローラ
１２  デバイス記述子記憶手段
１３  記憶装置用デバイス記述子
１４  モデム通信装置用デバイス記述子
１５  記憶装置機能
１６  無線モデム機能
１７  ＵＳＩＭカード
１８  ＵＳＩＭ検出手段
１９  ＵＳＩＭソケット
２０、３２  制御手段
２１  機能切換手段
２２、３６  ＵＳＢコネクタ
２３、３７  ＥｘｐｒｅｓｓＣａｒｄコネクタ
３０、３０１  ＰＣ
３１  ＯＳ
３２  制御手段
３３、１５１  モデム通信装置専用ドライバー
３４  記憶装置用ＯＳ標準ドライバー
３５  ＵＳＢホストコントローラ
【図１】
2009223605.tif 000003
【図２】
2009223605.tif 000004
【図３】
2009223605.tif 000005
【図４】
2009223605.tif 000006
【図５】
2009223605.tif 000007
【図６】
2009223605.tif 000008